(57)【要約】【課題】  電磁波ノイズ、他の無線ＬＡＮシステムからの電波干渉、機器の障害、サービス拒否攻撃などによる通信への影響を回避し、良好な通信サービスを維持させる無線ＬＡＮシステムを提供することを目的とする。【解決手段】  無線ＬＡＮアクセスポイント１１−１３と、無線ＬＡＮ監視サーバ２１と、無線ＬＡＮ認証サーバ３１と、無線ＬＡＮ端末１−２を備える無線ＬＡＮシステムにおいて、無線ＬＡＮアクセスポイントは、定期的にビーコン信号を送信し、無線ＬＡＮ端末はビーコン信号を受信し、一定期間、ビーコン信号の受信に失敗したら通信断になったと判断する。【選択図】  図１
2006352660.tif 000002
【特許請求の範囲】
【請求項１】
無線ＬＡＮアクセスポイントと、無線ＬＡＮ監視サーバと、無線ＬＡＮ認証サーバと、前記無線ＬＡＮ端末を備える無線ＬＡＮシステムにおいて、
前記無線ＬＡＮアクセスポイントは、定期的にビーコン信号を送信し、前記無線ＬＡＮ端末は該ビーコン信号を受信し、一定期間、該ビーコン信号の受信に失敗したら通信断になったと判断することを特徴とする無線ＬＡＮシステム。
【請求項２】
前記無線ＬＡＮ端末は、前記無線ＬＡＮ監視サーバと監視パケットの送受信を行い、当該監視パケットの送受信のエラー率が所定の閾値を超えた場合、通信状態が悪化したことを検出することを特徴とする請求項１記載の無線ＬＡＮシステム。
【請求項３】
前記無線ＬＡＮ端末が前記無線ＬＡＮ監視サーバに前記監視パケットを送信し、該監視パケットの応答パケットの受信率で前記送受信エラー率を検出することを特徴とする請求項２記載の無線ＬＡＮシステム。
【請求項４】
前記監視パケットには、ＵＤＰ（User Datagram Protocol）パケットを用いることを特徴とする請求項２又は３記載の無線ＬＡＮシステム。
【請求項５】
前記無線ＬＡＮ端末は、前記所定の閾値を超え再接続する場合は、通信を行っていた無線ＬＡＮアクセスポイントとは別の無線ＬＡＮアクセスポイントと通信を行うことを特徴とする請求項２から４のいずれか１項記載の無線ＬＡＮシステム。
【請求項６】
前記無線ＬＡＮ監視サーバは、ビーコン受信失敗率、切断率、監視パケット送信エラー率、監視パケット受信エラー率、メディアビジー率切断率の統計情報を計測し、当該統計情報が所定の閾値を超えた前記無線ＬＡＮアクセスポイントに対し、使用する周波数を変更する指示を行うことを特徴とする請求項１から５のいずれか１項記載の無線ＬＡＮシステム。
【請求項７】
無線ＬＡＮアクセスポイントと、無線ＬＡＮ監視サーバと、無線ＬＡＮ認証サーバと、前記無線ＬＡＮ端末を備える無線ＬＡＮシステムの通信状態検出方法において、
前記無線ＬＡＮアクセスポイントは、定期的にビーコン信号を送信し、
前記無線ＬＡＮ端末は該ビーコン信号を受信し、
一定期間、該ビーコン信号の受信に失敗したら通信断になったと判断することを特徴とする無線ＬＡＮシステムの通信状態検出方法。
【請求項８】
前記無線ＬＡＮ端末は、前記無線ＬＡＮ監視サーバと監視パケットの送受信を行い、
当該監視パケットの送受信のエラー率が所定の閾値を超えた場合、通信状態が悪化したことを検出することを特徴とする請求項７記載の無線ＬＡＮシステムの通信状態検出方法。
【請求項９】
前記無線ＬＡＮ端末が前記無線ＬＡＮ監視サーバに前記監視パケットを送信し、
該監視パケットの応答パケットの受信率で前記送受信エラー率を検出することを特徴とする請求項８記載の無線ＬＡＮシステムの通信状態検出方法。
【請求項１０】
前記監視パケットには、ＵＤＰ（User Datagram Protocol）パケットを用いることを特徴とする請求項７又は８記載の無線ＬＡＮシステムの通信状態検出方法。
【請求項１１】
前記無線ＬＡＮ端末は、前記所定の閾値を超え再接続する場合は、通信を行っていた無線ＬＡＮアクセスポイントとは別の無線ＬＡＮアクセスポイントと通信を行うことを特徴とする請求項８から１０のいずれか１項記載の無線ＬＡＮシステムの通信状態検出方法。
【請求項１２】
前記無線ＬＡＮ監視サーバは、ビーコン受信失敗率、切断率、監視パケット送信エラー率、監視パケット受信エラー率、メディアビジー率切断率の統計情報を計測し、当該統計情報が所定の閾値を超えた前記無線ＬＡＮアクセスポイントに対し、使用する周波数を変更する指示を行うことを特徴とする請求項７から１１のいずれか１項記載の無線ＬＡＮシステムの通信状態検出方法。
【請求項１３】
無線ＬＡＮアクセスポイントと、無線ＬＡＮ監視サーバと、無線ＬＡＮ認証サーバと、前記無線ＬＡＮ端末を備える無線ＬＡＮシステムの通信状態検出プログラムにおいて、
前記無線ＬＡＮアクセスポイントに、定期的にビーコン信号を送信させ、
前記無線ＬＡＮ端末に該ビーコン信号を受信させ、
一定期間、該ビーコン信号の受信に失敗したら通信断になったと判断させることを特徴とする無線ＬＡＮシステムの通信状態検出プログラム。
【請求項１４】
前記無線ＬＡＮ端末に、前記無線ＬＡＮ監視サーバと監視パケットの送受信を行なわせ、
当該監視パケットの送受信のエラー率が所定の閾値を超えた場合、通信状態が悪化したことを検出させることを特徴とする請求項１３記載の無線ＬＡＮシステムの通信状態検出プログラム。
【請求項１５】
前記無線ＬＡＮ端末に前記無線ＬＡＮ監視サーバに前記監視パケットを送信させ、
該監視パケットの応答パケットの受信率で前記送受信エラー率を検出させることを特徴とする請求項１４記載の無線ＬＡＮシステムの通信状態検出プログラム。
【請求項１６】
前記監視パケットには、ＵＤＰ（User Datagram Protocol）パケットを用いることを特徴とする請求項１４又は１５記載の無線ＬＡＮシステムの通信状態検出プログラム。
【請求項１７】
前記所定の閾値を超え再接続する場合は、前記無線ＬＡＮ端末に通信を行っていた無線ＬＡＮアクセスポイントとは別の無線ＬＡＮアクセスポイントと通信を行わせることを特徴とする請求項１４から１６のいずれか１項記載の無線ＬＡＮシステムの通信状態検出プログラム。
【請求項１８】
前記無線ＬＡＮ監視サーバに、ビーコン受信失敗率、切断率、監視パケット送信エラー率、監視パケット受信エラー率、メディアビジー率切断率の統計情報を計測させ、当該統計情報が所定の閾値を超えた前記無線ＬＡＮアクセスポイントに対し、使用する周波数を変更する指示を行わせることを特徴とする請求項１３から１７のいずれか１項記載の無線ＬＡＮシステムの通信状態検出プログラム。
【請求項１９】
無線ＬＡＮアクセスポイントと、無線ＬＡＮ監視サーバと、無線ＬＡＮ認証サーバと、前記無線ＬＡＮ端末を備える無線ＬＡＮシステムの無線ＬＡＮ端末において、
前記無線ＬＡＮアクセスポイントが定期的にビーコン信号を送信し、
該ビーコン信号を受信し、一定期間、該ビーコン信号の受信に失敗したら通信断になったと判断することを特徴とする無線ＬＡＮシステムの無線ＬＡＮ端末。
【請求項２０】
前記無線ＬＡＮ監視サーバと監視パケットの送受信を行い、当該監視パケットの送受信のエラー率が所定の閾値を超えた場合、通信状態が悪化したことを検出することを特徴とする請求項１９記載の無線ＬＡＮシステムの無線ＬＡＮ端末。
【請求項２１】
前記無線ＬＡＮ監視サーバに前記監視パケットを送信し、該監視パケットの応答パケットの受信率で前記送受信エラー率を検出することを特徴とする請求項２０記載の無線ＬＡＮシステムの無線ＬＡＮ端末。
【請求項２２】
前記監視パケットには、ＵＤＰ（User Datagram Protocol）パケットを用いることを特徴とする請求項２０又は２１記載の無線ＬＡＮシステムの無線ＬＡＮ端末。
【請求項２３】
前記所定の閾値を超え再接続する場合は、通信を行っていた無線ＬＡＮアクセスポイントとは別の無線ＬＡＮアクセスポイントと通信を行うことを特徴とする請求項２０から２２のいずれか１項記載の無線ＬＡＮシステムの無線ＬＡＮ端末。
【請求項２４】
無線ＬＡＮアクセスポイントと、無線ＬＡＮ監視サーバと、無線ＬＡＮ認証サーバと、前記無線ＬＡＮ端末を備える無線ＬＡＮシステムの無線ＬＡＮ監視サーバにおいて、
ビーコン受信失敗率、切断率、監視パケット送信エラー率、監視パケット受信エラー率、メディアビジー率切断率の統計情報を計測し、当該統計情報が所定の閾値を超えた前記無線ＬＡＮアクセスポイントに対し、使用する周波数を変更する指示を行うことを特徴とする無線ＬＡＮシステムの無線ＬＡＮ監視サーバ。
【発明の詳細な説明】
【技術分野】
【０００１】
本発明は、無線ＬＡＮシステム、その通信状態検出方法、その通信状態検出プログラム、無線ＬＡＮ端末及び無線ＬＡＮ監視サーバに関し、特に、良好な通信を維持させる無線ＬＡＮシステム、その通信状態検出方法、その通信状態検出プログラム、無線ＬＡＮ端末及び無線ＬＡＮ監視サーバに関する。
【背景技術】
【０００２】
従来、無線ＬＡＮシステムには、無線ＬＡＮアクセスポイントと、無線ＬＡＮ端末と、無線ＬＡＮ認証サーバと、無線ＬＡＮ監視サーバとを備えるものがある。
【０００３】
特許文献１には、アクセスポイントを介して無線端末と無線通信を行う無線通信システムにおいて、各アクセスポイントに設けられ、各無線端末から送信される信号の受信品質を測定して得られた第１の受信品質情報を各無線端末に送信する手段と、各無線端末に設けられ、各アクセスポイントから送信された第１の受信品質情報を受信する手段と、各アクセスポイントから送信される信号の受信品質を測定して第２の受信品質情報を得る手段と、第１及び第２の受信品質情報を用いてアクセスポイントを切り替える切替手段とを具備するアクセスポイント切替方式が開示されている。
【０００４】
特許文献２には、集中管理局と、集中管理局に管理され割り当てられたサービスゾーンをそれぞれ管理する複数の基地局と、各サービスゾーン内を自由に移動して属するサービスゾーンを管理する前記基地局との通信を行う移動局とを有するセルラ方式の移動体通信方式における移動体通信監視方式であって、基地局と移動局との間で互いに通信中の周波数の電波に回線障害が発生したときには、集中管理局が前記基地局のサービスゾーンに隣接する複数の基地局に回線障害が発生した周波数電波の電界情報を含む監視情報を要求する監視情報要求信号を送出し、サービスゾーン隣接の複数の基地局が監視情報要求信号に応答して監視情報を集中管理局に送出する移動体通信監視方式が開示されている。
【特許文献１】特開２０００−１０１５９６号公報
【特許文献２】特開平０５−２５９９６８号公報
【発明の開示】
【発明が解決しようとする課題】
【０００５】
しかしながら、従来の無線ＬＡＮシステムでは、電磁波ノイズの影響により、無線通信で使用される電磁波が乱れ、電磁波ノイズがなくなるまで、通信エラー発生による性能劣化、又は通信断が起こる。
【０００６】
また、他の無線ＬＡＮシステムからの電波干渉により、通信性能が劣化する。
【０００７】
また、機器障害により、通信経路が絶たれ、通信ができなくなる。
【０００８】
また、サービス拒否攻撃により、通信ができなくなる。
【０００９】
上述のような外的要因や無線ＬＡＮシステム内の機器障害により、良好な通信サービスの継続ができず、復旧には外的要因の排除、障害箇所の改修が必須であり、復旧のための時間と労力、復旧までのサービス停止など、多額の運用コストが必要となる。
【００１０】
本発明は、無線ＬＡＮアクセスポイント、無線ＬＡＮ端末、無線ＬＡＮ認証サーバ、無線ＬＡＮ監視サーバからなる無線ＬＡＮシステムにおいて、電磁波ノイズ、他の無線ＬＡＮシステムからの電波干渉、機器の障害、サービス拒否攻撃などによる通信への影響を回避し、良好な通信サービスを維持させる無線ＬＡＮシステムを提供することを目的とする。
【課題を解決するための手段】
【００１１】
本発明は、上記課題を解決するための手段として、無線ＬＡＮアクセスポイントと、無線ＬＡＮ監視サーバと、無線ＬＡＮ認証サーバと、前記無線ＬＡＮ端末を備える無線ＬＡＮシステムにおいて、前記無線ＬＡＮアクセスポイントは、定期的にビーコン信号を送信し、前記無線ＬＡＮ端末は該ビーコン信号を受信し、一定期間、該ビーコン信号の受信に失敗したら通信断になったと判断することを特徴とする。
【００１２】
また、本発明は、前記無線ＬＡＮ端末は、前記無線ＬＡＮ監視サーバと監視パケットの送受信を行い、当該監視パケットの送受信のエラー率が所定の閾値を超えた場合、通信状態が悪化したことを検出することを特徴とする。
【発明の効果】
【００１３】
本発明によれば、電磁波ノイズ、電波干渉、機器障害による通信経路断、サービス拒否攻撃などの無線ＬＡＮシステムの通信サービスへ影響を与える要因が発生した場合、通信サービスの品質を劣化させることなく、良好な通信サービスを維持することができる。
【００１４】
そのため、無線ＬＡＮアクセスポイント、無線ＬＡＮ端末、無線ＬＡＮ認証サーバ、無線ＬＡＮ監視サーバからなる無線ＬＡＮシステムにおいて、電磁波ノイズ、他の無線ＬＡＮシステムからの電波干渉、機器の障害、サービス拒否攻撃などによる通信への影響を検出し、自動的に回避する無線ＬＡＮシステムにより、良好な通信サービスを維持させることができる。
【発明を実施するための最良の形態】
【００１５】
以下、添付図面を参照して本発明を実施するための最良の実施の形態を説明する。
【００１６】
［構成の説明］
図１は、本発明の一実施形態としての無線ＬＡＮシステムの構成を示すブロック図である。
【００１７】
図１に示すように、本実施形態の無線ＬＡＮシステムは、無線ＬＡＮ端末１及び２と、無線ＬＡＮアクセスポイント１１−１３と、無線ＬＡＮ認証サーバ２１と、無線ＬＡＮ監視サーバ３１と、有線ＬＡＮ４１とを備えている。
【００１８】
無線ＬＡＮ端末１は、接続する無線ＬＡＮアクセスポイント１１を検索し、検出したいくつかの無線ＬＡＮアクセスポイント１１−１５のうちから一つだけ（例えば、無線ＬＡＮアクセスポイント１１）を選択し接続を行う。
【００１９】
無線ＬＡＮアクセスポイントと接続すると、無線ＬＡＮ端末１と無線ＬＡＮ認証サーバ２１との間でＩＥＥＥ８０２．１ＸやＩＥＥＥ８０２．１１ｉなどの認証処理を行う。
【００２０】
認証が成功すると、無線ＬＡＮ端末１は無線ＬＡＮアクセスポイント１１を経由して、上位ネットワーク上の機器とデータ通信を行うことができる。
【００２１】
図２は、本実施の形態において使用する無線ＬＡＮシステムの通信状態の悪化を検出するために用いる監視パケットのデータフォーマットである。
【００２２】
図２に示すように、監視パケットフォーマットは、ＩＰヘッダーと、ＵＤＰ（User Datagram Protocol）ヘッダーの後に、パケット種別、パケットナンバー、送信タイムスタンプ、チェックデータ、チェック符号が示されている。
【００２３】
また、応答パケットフォーマットでは、ＩＰヘッダーと、ＵＤＰヘッダーの後に、パケット種別、パケットナンバー、送信タイムスタンプ、チェックデータが示されている。
【００２４】
パケット種別は、監視パケットと応答パケットを判別する符号を示す。
【００２５】
パケットナンバーは、監視パケットでは監視パケットの送信回数として、１パケットの送信ごとにインクリメントされるがその符号を示す。
【００２６】
特に、応答パケットフォーマットでは、正常に受信した監視パケット内のパケットナンバーを示す。
【００２７】
送信タイムスタンプは、パケットを送信した時間を示す。
【００２８】
チェックデータは、ランダム符号からデータである。
【００２９】
チェック符号は、監視パケットでは、パケット種別−チェックデータから生成する検査符号を示し、応答パケットでは、パケット種別−送信タイムスタンプから生成する検査符号を示す。
【００３０】
図３は、本実施の形態において使用する無線ＬＡＮシステムの監視結果を無線ＬＡＮ端末上に格納するテーブルのフォーマットである。
【００３１】
図３に示すように、監視結果を格納するテーブルには、ＢＳＳＩＤ（ＭＡＣアドレス）と、使用チャネルと、接続状態と、通信状態を示す欄がある。
【００３２】
ビーコン受信失敗率は、ビーコン受信失敗回数÷ビーコン回数×１００（％）で示される。
【００３３】
切断率は、切断回数÷（送信パケット＋受信パケット数）×１００（％）で示される。
【００３４】
監視パケット送信エラー率は、送信エラーパケット数÷送信パケット数×１００（％）で示される。
【００３５】
監視パケット受信エラー率は、受信エラーパケット数÷受信パケット数×１００（％）で示される。
【００３６】
メディアビジー率は、メディアビジー回数÷送信パケット数×１００（％）で示される。
【００３７】
図４は、本実施の形態において使用する、無線ＬＡＮシステムの通信サービスへ影響の監視結果を無線ＬＡＮ端末上に格納するテーブルのフォーマットである。
【００３８】
ビーコン受信失敗率、切断率、監視パケット送信エラー率、監視パケット受信エラー率、メディアビジー率は、図３と同様に示される。
【００３９】
図５は、本実施の形態において使用する、無線ＬＡＮシステムの通信サービスへ影響の監視結果の統計情報を無線ＬＡＮ監視サーバ上に格納するテーブルのフォーマットである。
【００４０】
図５（ａ）は、無線ＬＡＮアクセスポイント情報と接続状態情報を示し、図５（ｂ）は、通信状態情報を示す。
【００４１】
ビーコン受信失敗率、切断率、監視パケット送信エラー率、監視パケット受信エラー率、メディアビジー率は、図３と同様に示される。
【００４２】
［動作の説明］
図６は、本実施の形態における無線ＬＡＮシステムの通信サービスへの影響を検出し回避する際の動作を示すフローチャートであり、図７は、本実施の形態における無線ＬＡＮシステムの通信サービスへ影響による接続断を検出する際の動作を示すフローチャートであり、図８は、本実施の形態における無線ＬＡＮシステムの通信サービスへ影響による通信状態の悪化を検出する際の動作を示すフローチャートである。
【００４３】
無線ＬＡＮ端末１は、通信を行う際に、まず、無線ＬＡＮアクセスポイント１１−１３の中から１台（例えば、無線ＬＡＮアクセスポイント１１）を選択してＩＥＥＥ８０２．１１に準じた接続処理を行い、接続が成功すると接続状態になる。
【００４４】
接続が完了すると無線ＬＡＮ認証サーバ２１とＩＥＥＥ８０２．１Ｘに準じた認証処理を行い、認証に成功すると認証成功状態になる。
【００４５】
その後、無線ＬＡＮ監視サーバ４１と通信確認処理としての通信確認パケットを送受信し、成功すると通信可能状態になる。
【００４６】
無線ＬＡＮ端末１は、通信可能状態になると定期的に通信状態を確認するために、接続状態の監視と通信状態の監視を行う。
【００４７】
接続状態の監視は、無線ＬＡＮアクセスポイント１１が定期的に送信するビーコン信号を受信し、受信成功率を算出する。
【００４８】
ある一定期間、受信失敗が継続すると、電磁波ノイズ、他の無線ＬＡＮシステムからの電波干渉、接続していた無線ＬＡＮアクセスポイント１１の機器障害、サービス拒否攻撃により、通信断になったことを検出する。
【００４９】
通信状態の監視は、無線ＬＡＮ監視サーバ４１と定期的に監視パケットの送受信を行う。
【００５０】
監視パケットは、送受信の成功率を測定するため、ＵＤＰパケットを使用し、パケットの送信回数を示すパケットＮｏ．及びデータにはランダム符号を用いる。図２は監視パケットの一例を示す図である。
【００５１】
無線ＬＡＮ端末１は、監視パケットを正常受信すると、受信したタイムスタンプを付加した応答パケットを無線ＬＡＮ監視サーバへ送信する。
【００５２】
次に、監視パケットを無線ＬＡＮ監視サーバへ送信し、無線ＬＡＮ監視サーバからの応答パケットを待つ。
【００５３】
監視パケットの送受信成功率を算出する。
【００５４】
監視パケットの送受信エラー率が、ある閾値を超えた場合、電磁波ノイズ、又は、他の無線ＬＡＮシステムからの電波干渉により、通信状態が悪化したことを検出する。
【００５５】
また、ある一定期間連続して監視パケット送信に対する応答パケットが受信できない場合、上記の要因に加え、無線ＬＡＮ端末１と無線ＬＡＮ監視サーバ３１との通信経路中の機器に障害が発生し、通信経路が経たれたことを検出する。
【００５６】
また、ある一定期間連続して監視パケット送信に対する応答パケットが受信できない場合、又はある一定期間連続してメディアビジー状態になる場合、トラヒックの増大、違法電波送信により通信サービスを麻痺させるサービス拒否攻撃により通信サービスが攻撃されたことを検出する。
【００５７】
上述の動作を継続して行うことにより、図３のような接続した無線ＬＡＮアクセスポイントごとの接続状態情報と通信状態情報を得ることができる。
【００５８】
無線ＬＡＮ端末１は、上記の動作により通信状態の悪化、通信断、通信経路断を検出すると、状態を改善させるための通信状態復旧処理を行う。
【００５９】
通信状態復旧では、図３では監視テーブル１を参照し復旧処理方法を選択する。
【００６０】
図４の監視テーブル１の一例を参照して説明する。
【００６１】
無線ＬＡＮ端末１は、無線ＬＡＮアクセスポイント１１経由で通信を行っており、接続状態監視と通信状態監視により、ビーコン受信失敗率、切断率、監視パケット送信エラー率、監視パケット受信エラー率、メディアビジー率切断率が、ある閾値を超えない場合は、再接続する無線ＬＡＮアクセスポイント１１を選択せずに、無線ＬＡＮアクセスポイント接続処理を行う。
【００６２】
ある閾値を超えた場合は、再接続する無線ＬＡＮアクセスポイント１２として、無線ＬＡＮアクセスポイント１１を除く無線ＬＡＮアクセスポイント１２又は１３へのどちらかを選択して無線ＬＡＮアクセスポイント接続処理を行う。
【００６３】
無線ＬＡＮ端末１が取得し作成した監視テーブル１、２、３は、定期的に無線ＬＡＮ管理サーバ３１へ送信される。
【００６４】
無線ＬＡＮ管理サーバ３１は、無線ＬＡＮ端末１及び２から送られてきた監視テーブルをマージし、各無線ＬＡＮアクセスポイントの統計情報を作成する。図５は統計情報の一例を示す表である。
【００６５】
無線ＬＡＮ管理サーバ３１は、統計情報を監視し、各無線ＬＡＮアクセスポイントのビーコン受信失敗率、切断率、監視パケット送信エラー率、監視パケット受信エラー率、メディアビジー率切断率が、ある閾値を超えた無線ＬＡＮアクセスポイントに対し、使用している周波数（チャンネル）を変更させる指示を行う。
【００６６】
チャンネル変更指示は、変更先のチャンネルを指定して行うチャンネル指定指示と変更先のチャンネルを現在使用しているチャンネル以外で選択させるチャンネル自動選択指示と変更先のチャンネルをいくつか指定してその指定されたチャンネルの中から一つを選択させるチャンネル範囲指定指示の３通りを持つ。
【００６７】
チャンネル変更指示を受信した無線ＬＡＮアクセスポイントは、指示の内容により、チャンネルを変更する。
【産業上の利用可能性】
【００６８】
本発明は、無線ＬＡＮアクセスポイントと、無線ＬＡＮ監視サーバと、無線ＬＡＮ認証サーバとを備える無線ＬＡＮシステムに利用可能である。
【図面の簡単な説明】
【００６９】
【図１】本発明の一実施形態としての無線ＬＡＮシステムの構成を示すブロック図である。
【図２】本実施の形態において使用する無線ＬＡＮシステムの通信状態の悪化を検出するために用いる監視パケットのデータフォーマットである。
【図３】本実施の形態において使用する無線ＬＡＮシステムの監視結果を無線ＬＡＮ端末上に格納するテーブルのフォーマットである。
【図４】本実施の形態において使用する、無線ＬＡＮシステムの通信サービスへ影響の監視結果を無線ＬＡＮ端末上に格納するテーブルのフォーマットである。
【図５】本実施の形態において使用する、無線ＬＡＮシステムの通信サービスへ影響の監視結果の統計情報を無線ＬＡＮ監視サーバ上に格納するテーブルのフォーマットである。
【図６】本実施の形態における無線ＬＡＮシステムの通信サービスへの影響を検出し回避する際の動作を示すフローチャートである。
【図７】本実施の形態における無線ＬＡＮシステムの通信サービスへ影響による接続断を検出する際の動作を示すフローチャートである。
【図８】本実施の形態における無線ＬＡＮシステムの通信サービスへ影響による通信状態の悪化を検出する際の動作を示すフローチャートである。
【符号の説明】
【００７０】
０１、０２  無線ＬＡＮ端末
１１〜１３  無線ＬＡＮアクセスポイント
２１  無線ＬＡＮ認証サーバ
３１  無線ＬＡＮ監視サーバ
４１  有線ＬＡＮ
１０１  電磁波ノイズを発生する機器
１０２  他の無線ＬＡＮシステムの無線ＬＡＮ端末
１０３  サービス拒否攻撃を行う機器
１１１  他の無線ＬＡＮシステムの無線アクセスポイント
２０１  電磁波ノイズ
２０２  他の無線ＬＡＮシステムからの電波干渉波
２０３  サービス拒否攻撃機器からの妨害電波
【図１】
2006352660.tif 000003
【図２】
2006352660.tif 000004
【図３】
2006352660.tif 000005
【図４】
2006352660.tif 000006
【図５】
2006352660.tif 000007
【図６】
2006352660.tif 000008
【図７】
2006352660.tif 000009
【図８】
2006352660.tif 000010